(57)【要約】【課題】ユニット交換時に、オペレータによる情報再設定の作業をすることなく、システム・アップグレードを行って、保守効率及び利便性の向上を図る。【解決手段】スロット情報テーブルＴ１は、スロットに実装されたユニットのバス運用状態情報及び加入者データを含むスロット情報を登録する。バスマッピング情報テーブルＴ２は、バスにマッピングされたアクセスＩＤを登録する。保守モード移行処理部１２は、スロット情報テーブルＴ１とバスマッピング情報テーブルＴ２にもとづいて、コマンドで指定された指定ユニットと連続してバスが割り当てられている関連ユニットを検索し、取り外し対象ユニットの呼をブロックして保守モードへ移行する。バックアップ処理部１３は、取り外し対象ユニットの加入者データをバックアップする。データ展開処理部１４は、バックアップしておいた加入者データを展開処理して、更新ユニットに設定する。【選択図】　　　　図１
2004080471.tif 000002
【特許請求の範囲】
【請求項１】
伝送制御を行う伝送システムにおいて、
スロットに実装されたユニットのバス運用状態情報及び加入者データを含むスロット情報を登録するスロット情報テーブルと、バスにマッピングされたアクセスＩＤを登録するバスマッピング情報テーブルとを管理するテーブル管理部と、保守用のコマンドを受信した場合に、前記バスマッピング情報テーブルにもとづいて、前記コマンドで指定された指定ユニットと連続してバスが割り当てられている関連ユニットを検索し、取り外し対象ユニットの呼をブロックして保守モードへ移行する保守モード移行処理部と、前記取り外し対象ユニットの加入者データをバックアップするバックアップ処理部と、コマンドにもとづき、前記取り外し対象ユニットのスロット情報の削除及びあらたに実装される更新ユニットのスロット情報の更新を行ない、前記更新ユニットが実装された後に、バックアップしておいた前記加入者データを前記更新ユニットに展開して設定するデータ展開処理部と、から構成される制御ユニットと、
自己のスロット情報を保持するスロット情報保持部と、加入者線の接続制御を行う接続制御部と、から構成される加入者ユニットと、
を有することを特徴とする伝送システム。
【請求項２】
前記保守モード移行処理部は、保守開始時間からオペレータが任意に設定したタイマ値が経過した時点で、使用中の回線を強制切断して、保守モードへ移行することを特徴とする請求項１記載の伝送システム。
【請求項３】
前記取り外し対象ユニットの保守遷移の状態表示制御を行う状態表示制御部をさらに有することを特徴とする請求項１記載の伝送システム。
【請求項４】
前記バックアップ処理部は、前記加入者データのバックアップを行う場合、加入者データエリアのチェックサムと、内部バッファにコピーした際のバッファデータのチェックサムとを計算し、双方のチェックサムが一致した場合に正常コピー終了とすることを特徴とする請求項１記載の伝送システム。
【請求項５】
前記データ展開処理部は、前記加入者データの展開処理を行う場合、内部バッファにコピーしてあるバッファデータのチェックサムと、前記更新ユニットに展開した加入者データエリアのチェックサムとを計算し、双方のチェックサムが一致した場合に正常展開終了とすることを特徴とする請求項１記載の伝送システム。
【発明の詳細な説明】
【０００１】
【発明の属する技術分野】
本発明は伝送システムに関し、特に伝送制御を行う伝送システムに関する。
【０００２】
【従来の技術】
局内交換機から遠く離れた地点の加入者を収容するような場合、高価な交換機をあらたに設置する代わりに、交換機に比べ安価なアクセスネットワーク（ＡＮ：Ａｃｃｅｓｓ　Ｎｅｔｗｏｒｋ）システムを利用するようになってきている。ＡＮとは交換機と加入者電話機をつなぐアクセス網のことであり、ＡＮシステム（またはＡＮ装置）とは、アクセス網上で加入者線を多重化する多重化システムのことである。
【０００３】
ＡＮシステムは、低次群のトリビュタリ側の加入者ユニット、高次群側のトランク、トリビュタリとトランクをつないでタイムスロットの入れ替え処理（クロスコネクト）を行うＴＳＡ（Ｔｉｍｅ　Ｓｌｏｔ　Ａｓｓｉｇｎｍｅｎｔ）、制御ユニット（ＭＰＵ）などで構成される。このようなＡＮシステムを導入することにより、網構成のトータルコストの削減を図ることが可能になる。
【０００４】
一方、加入者数の増加によって回線数を増やす場合には、シェルフ（Ｓｈｅｌｆ）を追加したり、加入者ユニットをより多くの加入者を収容できるユニットに交換したりして、システムを増設することになるが、近年の多様な通信環境においては、顧客の収容加入者数は増加の一途をたどっており、また顧客ニーズに即座に対応できるように、システムのアップグレードは、効率よく行う必要がある。
【０００５】
【発明が解決しようとする課題】
上記のように、シェルフを追加してシステム・アップグレードを行う場合は、増設用のシェルフ、搭載ラック、電源盤、中継ユニット、ケーブルなどがあらたに必要となるため、コスト及び増設作業時間が大幅にかかってしまうといった問題があった。
【０００６】
一方、加入者ユニットをより多くの加入者を収容できるユニットに交換してシステム・アップグレードする場合、従来ではオペレータは、加入者ユニットを交換する前に、クロスコネクトを必ず外さねばならなかった。
【０００７】
なぜなら、もし、クロスコネクトを張ったまま加入者ユニットが外されると、そのときのコマンド処理では、ＴＳＡに対して、加入者ユニットが削除された旨の変更が行われないため、ＴＳＡ上に過去の設定がそのまま残ってしまい、実際には加入者ユニットは削除されているのに、削除された加入者ユニットが登録されているといった内部状態の矛盾が生じてしまうからである。
【０００８】
そのため、オペレータは状態不一致を防ぐために、加入者ユニットを取り外す前には、必ずクロスコネクトを外し、ＴＳＡの持っているクロスコネクトの情報テーブルをクリアしておく必要がある（ＴＳＡは制御ユニット（ＭＰＵ）から受けたクロスコネクト情報をもとにクロスコネクトを実行するので、ＴＳＡに設定されているクロスコネクトの情報の削除が必要）。
【０００９】
したがって、システムに搭載されている加入者ユニットを新しい加入者ユニットに交換する場合には、従来では、クロスコネクトを一旦外し、新しい加入者ユニットに交換後に、再度クロスコネクトを設定して、加入者ユニット登録情報を設定し直すことが必要であり、多大な保守時間を要していた。
【００１０】
また、加入者ユニットが削除された時点で、制御ユニットは、削除された加入者ユニットの加入者データをクリアすることになる。なぜなら、その加入者データ（加入者データＳＩとする）の加入者ユニット（加入者ユニットＳＬとする）が削除されたということは、加入者データＳＩを用いるあらたな別の加入者ユニットが入るかもしれないことを意味し、制御ユニットは次に加入者データＳＩを用いる新しい加入者ユニットのために、加入者ユニットＳＬの加入者データＳＩを消去しておく必要があるからである。
【００１１】
したがって、たとえ交換後の加入者ユニットが、交換前と同じ加入者ユニットを収容したとしても、その加入者ユニットが登録抹消された時点で、サポートしていた加入者データが消去されてしまう。このため、従来では、あらたな加入者ユニットの登録後には、オペレータは加入者データを再設定せねばならず、膨大な保守時間を要していた。特に、加入者データの再設定は、加入者が多ければ多いほど、オペレータに大変な労力と時間を強いてしまう。
【００１２】
本発明はこのような点に鑑みてなされたものであり、加入者ユニットの交換時に、設定すべき情報をバックアップ及び展開することで、オペレータによる情報の再設定をすることなく、システム・アップグレードを行って、保守効率及び利便性の向上を図った伝送システムを提供することを目的とする。
【００１３】
【課題を解決するための手段】
本発明では上記課題を解決するために、図１に示すような、伝送制御を行う伝送システム１において、スロットに実装されたユニットのバス運用状態情報及び加入者データを含むスロット情報を登録するスロット情報テーブルＴ１と、バスにマッピングされたアクセスＩＤを登録するバスマッピング情報テーブルＴ２とを管理するテーブル管理部１１と、保守用のコマンドを受信した場合に、スロット情報テーブルＴ１とバスマッピング情報テーブルＴ２にもとづいて、コマンドで指定された指定ユニットと連続してバスが割り当てられている関連ユニットを検索し、取り外し対象ユニットの呼をブロックして保守モードへ移行する保守モード移行処理部１２と、取り外し対象ユニットの加入者データをバックアップするバックアップ処理部１３と、コマンドにもとづき、取り外し対象ユニットのスロット情報の削除及びあらたに実装される更新ユニットのスロット情報の更新を行ない、バックアップしておいた加入者データを更新ユニットに展開して設定するデータ展開処理部１４と、から構成される制御ユニット１０と、自己のスロット情報を保持するスロット情報保持部２１と、加入者線の接続制御を行う接続制御部２２と、から構成される加入者ユニット２０−１〜２０−ｎと、を有することを特徴とする伝送システム１が提供される。
【００１４】
ここで、スロット情報テーブルＴ１は、スロットに実装されたユニットのバス運用状態情報及び加入者データを含むスロット情報を登録する。バスマッピング情報テーブルＴ２は、バスにマッピングされたアクセスＩＤを登録する。保守モード移行処理部１２は、ユニット除去のコマンドを受信した場合に、スロット情報テーブルＴ１とバスマッピング情報テーブルＴ２にもとづいて、コマンドで指定された指定ユニットと連続してバスが割り当てられている関連ユニットを検索し、除去されるべき交換対象ユニットの呼をブロックして保守モードへ移行する。バックアップ処理部１３は、交換対象ユニットの加入者データをバックアップする。データ展開処理部１４は、コマンドにもとづき、取り外し対象ユニットのスロット情報の削除及びあらたに実装される更新ユニットのスロット情報の更新を行ない、バックアップしておいた加入者データを更新ユニットに展開して設定する。スロット情報保持部２１は、自己のスロット情報を保持する。接続制御部２２は、加入者線の接続制御を行う。
【００１５】
【発明の実施の形態】
以下、本発明の実施の形態を図面を参照して説明する。図１は本発明の伝送システムの原理図である。伝送システム１は、シェルフ内に制御ユニット１０と加入者ユニット２０−１〜２０−ｎ（総称する場合は加入者ユニット２０）が実装され、加入者ユニット２０−１〜２０−ｎで加入者線を接続・収容して伝送制御を行う。また、保守端末６を通じてオペレータにより保守管理される。
【００１６】
制御ユニット１０に対し、テーブル管理部１１は、スロット情報テーブルＴ１とバスマッピング情報テーブルＴ２のテーブル管理を行う。スロット情報テーブルＴ１は、スロットに実装されたユニット（本発明で単にユニットという場合は加入者ユニットのことを指す）のバス運用状態を示すバス運用状態情報と、加入者データとを含むスロット情報を登録するテーブルである。バスマッピング情報テーブルＴ２は、バスにマッピングされたアクセスＩＤを登録するテーブルである。テーブル構成については図６〜図８で後述する。
【００１７】
保守モード移行処理部１２は、保守用のコマンドを受信した場合に、バスマッピング情報テーブルＴ２にもとづいて、コマンドで指定された指定ユニット（指定加入者ユニット）と連続してバスが割り当てられている関連ユニット（関連加入者ユニット）を検索し、取り外し対象ユニットの呼をブロックして保守モードへ移行する。
【００１８】
なお、取り外し対象ユニットとは、指定ユニットと連続してバスが割り当てられている関連ユニットがある場合には、指定ユニットと関連ユニットが該当し、関連ユニットがない場合には、指定ユニットだけが取り外し対象ユニットになる。
【００１９】
バックアップ処理部１３は、取り外し対象ユニットの加入者データをバックアップする。データ展開処理部１４は、コマンドにもとづき、取り外し対象ユニットのスロット情報の削除及びあらたに実装される更新ユニットのスロット情報の更新（スロット情報のデフォルト値の設定）を行ない、更新ユニットが実装された後に、バックアップしておいた加入者データを展開処理して、更新ユニットに設定する。
【００２０】
加入者ユニット２０に対し、スロット情報保持部２１は、自己のスロット情報を保持する。接続制御部２２は、加入者線の接続制御を行う。保守遷移表示部２３は、上位（制御ユニット１０）からの通知を受けて、保守遷移の状態を表示する（保守状態に応じてＬＥＤの点滅色を変える）。
【００２１】
次に本発明の伝送システム１をＡＮシステムに適用した場合を例にして以降説明する。図２はＡＮシステムのユニット実装例を示す図である。ＡＮシステム１ａに対し、シェルフＣＭＳは２３スロットを有しており、トランク３０に２スロット、ＴＳＡ４０に１スロット、制御ユニット１０に１スロット、給電ユニット５０に４スロットを割り当て、残りの１５スロットすべてを、加入者ユニット２０−１〜加入者ユニット２０−１５に割り当てて運用している。また、保守端末６は制御ユニット１０に接続する。
【００２２】
ここで、加入者ユニット２０−１〜加入者ユニット２０−１５それぞれが、例えば、加入者線を１５チャネル収容できるのならば、このシステムは最大２２５（＝１５×１５）の加入者が収容可能となる。なお、シェルフＣＭＳにさらにスレーブ・シェルフを接続して、回線収容を増加することも可能である。
【００２３】
図３はＡＮシステム１ａの内部バス状態を示す図である。ＡＮシステム１ａの内部バスに関し、トランク３０とＴＳＡ４０との間のバスであるトランクバスは、Ｅ１（２Ｍｂ／ｓ）のバスが最大３２本で構成される。また、ＴＳＡ４０と加入者ユニット２０−１〜２０−１５との間のバスであるトリビュタリバスも、Ｅ１（２Ｍｂ／ｓ）のバスが最大３２本で構成される。
【００２４】
図４は内部バスの構成を示す図である。内部バス（トランクバス、トリビュタリバスいずれも）は、３２本のＥ１バスであり、１本のＥ１バスは、Ｅ１−１〜Ｅ１−３２の３２個のタイムスロットで構成される。また、Ｅ１−１〜Ｅ１−３２のそれぞれは、６４ｋｂ／ｓのＥ０がＥ０−０〜Ｅ０−３１の３２個で構成される。
【００２５】
なお、Ｅ０−０とＥ０−１６は、制御信号用のタイムスロットであり、その他のＥ０−１〜Ｅ０−１５及びＥ０−１７〜Ｅ０−３１は、主信号用のタイムスロットである。
【００２６】
図５はトリビュタリバスに対するバスマッピングの一例を示す図である。シェルフのスロット１〜３には、それぞれ１５ｃｈ収容可能な加入者ユニット２０−１〜２０−３が実装されており、スロット１、スロット３、スロット２の順に登録するものとする。
【００２７】
バスマッピングの順番は、トリビュタリバスは＃３２のバスから＃１に向かって順に選択され、タイムスロットはＥ１−３２からＥ１−１に向かって順に選択される。また、Ｅ０に対するマッピングは、Ｅ０−０からＥ０−３１に向かって選択される。
【００２８】
ここでは、３２本目のトリビュタリバス＃３２が選択される。そして、トリビュタリバス＃３２の中のＥ１−３２が選択されて、Ｅ１−３２の中のＥ０−１〜Ｅ０−１５にスロット１の加入者ユニット２０−１の１５ｃｈがマッピングされ、Ｅ１−３２の中のＥ０−１７〜Ｅ０−３１にスロット３の加入者ユニット２０−３の１５ｃｈがマッピングされる。そして、トリビュタリバス＃３２の中のＥ１−３１の中のＥ０−１〜Ｅ０−１５にスロット２の加入者ユニット２０−２の１５ｃｈがマッピングされることになる。
【００２９】
次にスロット情報テーブルＴ１について説明する。図６はスロット情報テーブルＴ１の構成を示す図である。スロット情報テーブルＴ１のデータエリアは、保守フラグ（図７で後述）のエリアと、スロット情報エリアからなる。スロット情報エリアは、各スロットに実装される加入者ユニットのスロット情報が登録される。
【００３０】
スロット情報は、ユニット種別、ＴＲＵＮＫ／ＴＲＩＢ、Ｅ１−Ｂｕｓ　Ｏｆｆｓｅｔ、Ｅ１−Ｂｕｓ　Ｗｉｄｔｈ、Ｅ０−Ｂｕｓ　Ｏｆｆｓｅｔ、Ｅ０−Ｂｕｓ　Ｗｉｄｔｈの項目を含むバス運用状態情報と、さらに加入者データの項目から構成される。ユニット種別とは、スロットに実装されるユニットの名前である。ＴＲＵＮＫ／ＴＲＩＢとは、ユニットがトランクバス、トリビュタリバスのどちらを用いるかを示す。Ｅ１−Ｂｕｓ　Ｏｆｆｓｅｔは、使用するＥ１の番号を示す。Ｅ１−Ｂｕｓ　Ｗｉｄｔｈは、Ｅ１を何本使用しているかを示す。Ｅ０−Ｂｕｓ　Ｏｆｆｓｅｔは、先頭チャネルがマッピングされるＥ０の番号を示す。Ｅ０−Ｂｕｓ　Ｗｉｄｔｈは、Ｅ０の占有個数を示す。加入者データは、ユニット個別の加入者情報（例えば、各国に対応する電話のリングの周波数情報等）が含まれる。
【００３１】
スロット情報として例えば、図５のスロット１の加入者ユニット２０−１に対しては、ユニット種別はＳＬＣ１５、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１（Ｅ０−１の１）、Ｅ０−Ｂｕｓ　Ｗｉｄｔｈは１５となり、スロット３の加入者ユニット２０−３に対しては、ユニット種別はＳＬＣ１５、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１７（Ｅ０−１７の１７）、Ｅ０−Ｂｕｓ　Ｗｉｄｔｈは１５となる。
【００３２】
図７は保守フラグのビット配列を示す図である。ＡＬＬ“０”の場合はアップグレードの操作なし、０００１　１０００（１８）の場合は再マッピング処理、０００１　０００１（１１）の場合は移行処理、０００１　００１０（１２）の場合はコピー処理、０００１　００１１（１３）の場合は展開処理を示す。何らかの保守を行う場合には、このように上位４ビットが０００１となる。またこのときは、テーブルへのアクセスを禁止する。
【００３３】
次にバスマッピング情報テーブルＴ２について説明する。図８はバスマッピング情報テーブルＴ２の構成を示す図である。バスマッピング情報テーブルＴ２は、Ｅ１−１〜Ｅ１−３２のそれぞれの３２個のＥ０にマッピングしたアクセスＩＤ（以下、ＡＩＤ）を登録するテーブルである（以下、マッピングしたアクセスＩＤの登録情報のことをバスマッピング情報と呼ぶ）。ただし、Ｅ０−０とＥ０−１６は上述したように制御ｃｈ用なので空きとなる。
【００３４】
ＡＩＤとは、タイムスロットのアドレスを示すものである。トランクバスのタイムスロットのＡＩＤは、シェルフ番号、スロット番号、Ｅ１番号、Ｅ０に対するｃｈ番号で構成される。トリビュタリバスのタイムスロットのＡＩＤ（Ｅ０−ＡＩＤ）は、シェルフ番号、スロット番号、Ｅ０に対するｃｈ番号で構成される。
【００３５】
例えば、ＡＩＤ＝１−３−３−１とは、シェルフ１のスロット３に対し、Ｅ１−３のＥ０の１番のｃｈのトランクバス上のタイムスロットのことを指している。また、ＡＩＤ＝１−１０−１とは、シェルフ１のスロット１０に対し、Ｅ０の１番のｃｈのトリビュタリバス上のタイムスロットのことを指している。
【００３６】
次に本発明のアップグレード時における動作について説明する。図９〜図１８は動作シーケンスを示す図である。最初、加入者ユニット２０−１〜２０−３（１５ｃｈ分の加入者収容）をスロット１、スロット３、スロット２の順で登録して運用する場合を説明する。
【００３７】
図９はスロット１の加入者ユニット２０−１の登録手順を示す図である。
〔Ｓ１ａ〕保守端末６は、加入者ユニット２０−１の登録コマンド（ＥＮＴ−ＣＯＮＦ：ＡＡＡ：１−１：１：：ＳＬＣ：：：；）を制御ユニット１０へ送信する。
〔Ｓ２ａ〕制御ユニット１０のテーブル管理部１１は、自己が有するデータベースからスロット１の加入者ユニット２０−１に関するスロット情報Ｄ１及びバスマッピング情報Ｍ１を取り出して、スロット情報テーブルＴ１及びバスマッピング情報テーブルＴ２に登録する。
〔Ｓ３ａ〕制御ユニット１０は、応答（ＣＯＭＰＬＤ）を保守端末６へ送信する。
〔Ｓ４ａ〕制御ユニット１０は、コマンド（Ｒｅｓｔａｒｔ　Ｒｅｑ）をスロット１の加入者ユニット２０−１へ送信する。
〔Ｓ５ａ〕加入者ユニット２０−１のスロット情報保持部２１は、スロット情報テーブルＴ１から自己のスロット情報Ｄ１を取り出して保持する。
〔Ｓ６ａ〕加入者ユニット２０−１は、応答（Ｒｅｓｔａｒｔ　ＯＫ）を制御ユニット１０へ送信する。
【００３８】
図１０はスロット３の加入者ユニット２０−３の登録手順を示す図である。
〔Ｓ１ｂ〕保守端末６は、加入者ユニット２０−３の登録コマンド（ＥＮＴ−ＣＯＮＦ：ＡＡＡ：１−３：２：：ＳＬＣ：：：；）を制御ユニット１０へ送信する。
〔Ｓ２ｂ〕制御ユニット１０のテーブル管理部１１は、自己が有するデータベースからスロット１の加入者ユニット２０−３に関するスロット情報Ｄ３及びバスマッピング情報Ｍ３を取り出して、スロット情報テーブルＴ１及びバスマッピング情報テーブルＴ２に登録する。
〔Ｓ３ｂ〕制御ユニット１０は、応答（ＣＯＭＰＬＤ）を保守端末６へ送信する。
〔Ｓ４ｂ〕制御ユニット１０は、コマンド（Ｒｅｓｔａｒｔ　Ｒｅｑ）をスロット３の加入者ユニット２０−３へ送信する。
〔Ｓ５ｂ〕加入者ユニット２０−３のスロット情報保持部２１は、スロット情報テーブルＴ１から自己のスロット情報Ｄ３を取り出して保持する。
〔Ｓ６ｂ〕加入者ユニット２０−３は、応答（Ｒｅｓｔａｒｔ　ＯＫ）を制御ユニット１０へ送信する。
【００３９】
図１１はスロット２の加入者ユニット２０−２の登録手順を示す図である。
〔Ｓ１ｃ〕保守端末６は、加入者ユニット２０−２の登録コマンド（ＥＮＴ−ＣＯＮＦ：ＡＡＡ：１−２：３：：ＳＬＣ：：：；）を制御ユニット１０へ送信する。
〔Ｓ２ｃ〕制御ユニット１０のテーブル管理部１１は、自己が有するデータベースからスロット２の加入者ユニット２０−２に関するスロット情報Ｄ２及びバスマッピング情報Ｍ２を取り出して、スロット情報テーブルＴ１及びバスマッピング情報テーブルＴ２に登録する。
〔Ｓ３ｃ〕制御ユニット１０は、応答（ＣＯＭＰＬＤ）を保守端末６へ送信する。
〔Ｓ４ｃ〕制御ユニット１０は、コマンド（Ｒｅｓｔａｒｔ　Ｒｅｑ）をスロット２の加入者ユニット２０−２へ送信する。
〔Ｓ５ｃ〕加入者ユニット２０−２のスロット情報保持部２１は、スロット情報テーブルＴ１から自己のスロット情報Ｄ２を取り出して保持する。
〔Ｓ６ｃ〕加入者ユニット２０−２は、応答（Ｒｅｓｔａｒｔ　ＯＫ）を制御ユニット１０へ送信する。
【００４０】
次にこの状態でスロット１の加入者ユニット２０−１を、３０ｃｈ分の加入者を収容可能な加入者ユニット（加入者ユニット２０−１ａとする）に交換して、アップグレードする場合について説明する。
【００４１】
図１２は保守モードへの移行手順を示す図である。
〔Ｓ１１〕保守端末６は、加入者ユニット２０−１の除去コマンド（ＲＭＶ−ＣＯＮＦ：ＡＡＡ：１−１：Ｃ００１：：：ＵＰＧＲＡＤＥ＝Ｙ：；）を制御ユニット１０へ送信して、加入者ユニット２０−１を交換する旨のメンテナンス処理宣言を行う。
〔Ｓ１２〕制御ユニット１０の保守モード移行処理部１２は、バスマッピング情報テーブルＴ２を検索し、加入者ユニット２０−１（指定ユニット）と同じＥ１バスに割り当てられている加入者ユニット（関連ユニット）を検索する。ここでは加入者ユニット２０−３が、加入者ユニット２０−１と同じＥ１バスに割り当てられている関連ユニットとする。
【００４２】
そして、保守モード移行処理部１２は、加入者ユニット２０−１、加入者ユニット２０−３の全チャネルに対し呼制御を実施する。この呼制御は、対象チャネルの状況を検索し、接続待ち状態のチャネルをすべてブロック状態に遷移させるものである。
【００４３】
これにより、ユーザによる新規通話を止めることができる。また、ユーザにより使用中のチャネルは、通話終了により接続待ち状態になった時点でブロック状態に遷移する。
〔Ｓ１３〕加入者ユニット２０−１、加入者ユニット２０−３のすべてのチャネルがブロック状態になった時点で、保守モード移行処理部１２は、オペレータに全チャネル保守モード移行完了をレポート通知する。
【００４４】
次にバックアップ処理について説明する。図１３はバックアップ処理手順を示す図である。
〔Ｓ２１〕保守端末６は、取り外し対象ユニット（加入者ユニット２０−１及び加入者ユニット２０−３）の加入者データをバックアップしておくためのコピーコマンド（ＣＰＹ−ＤＡＴＡ：ＡＡＡ：Ｅ１−１，ＭＰＵ：Ｃ００２：：：：；）を制御ユニット１０へ送信する。
〔Ｓ２２〕制御ユニット１０のバックアップ処理部１３は、スロット情報テーブルＴ１で管理している加入者ユニット２０−１の加入者データ（データＡ）及び加入者ユニット２０−３の加入者データ（データＢ）を、バックアップ処理部１３が有する内部バッファ１３ａにコピーする。
【００４５】
このコピーの開始時において、バックアップ処理部１３は、加入者ユニット２０−１、２０−３の加入者データエリアのチェックサムを計算する。そして内部バッファ１３ａにコピーした時点で、バッファデータのチェックサムを計算して、双方のチェックサムを比較する。比較の結果、チェックサムが合致した場合、コピーは正常終了と判定される。不一致だった場合、コピーは失敗と判定される。
〔Ｓ２３〕コピーが正常に実行された場合には、バックアップ処理部１３はデータバックアップ完了レポートを通知する。なお、コピーが正常終了できなかった場合には、異常終了をオペレータにレポートで通知し、内部バッファ１３ａを初期化する。また、上述した保守モード移行完了レポートが通知される以前に、コピーコマンドが発行された場合には、このコピーコマンドはＲｅｊｅｃｔする。
【００４６】
次に加入者ユニット２０−１の登録削除手順について説明する。図１４は加入者ユニット２０−１の登録削除手順を示す図である。
〔Ｓ３１〕保守端末６は、加入者ユニット２０−１の登録削除コマンド（ＤＬＴ−ＣＯＮＦ：ＡＡＡ：１−１：Ｃ００７：；）を制御ユニット１０へ送信して、加入者ユニット２０−１をＯＯＳ（アウト・オヴ・サービス）に設定する。
〔Ｓ３２〕制御ユニット１０のデータ展開処理部１４は、スロット情報テーブルＴ１に登録されているスロット情報Ｄ１と、加入者ユニット２０−１のスロット情報保持部２１内で保持されているスロット情報Ｄ１を削除する。
〔Ｓ３３〕データ展開処理部１４は、登録削除した旨をオペレータに通知する。その後、オペレータは、加入者ユニット２０−１をスロット１から取り外す。
【００４７】
次に３０ｃｈ収容可能なあらたな加入者ユニット２０−１ａの登録手順について説明する。図１５は加入者ユニット２０−１ａの登録手順を示す図である。
〔Ｓ４１〕保守端末６は、加入者ユニット２０−１ａの登録コマンド（ＥＮＴ−ＣＯＮＦ：ＡＡＡ：１−１：Ｃ００９：：ＳＬＣ３０：：：；）を制御ユニット１０へ送信する。そして、オペレータはスロット１に３０ｃｈ収容可能な加入者ユニット２０−１ａを実装する。この場合、オペレータが設定したアップグレード対象のユニットでない他ユニットが実装された場合は、送信した登録コマンドはＲｅｊｅｃｔされる。
〔Ｓ４２〕制御ユニット１０のテーブル管理部１１は、自己が有するデータベースからスロット１の加入者ユニット２０−１ａに関するスロット情報Ｄ１ａ−１を取り出して、スロット情報テーブルＴ１に登録する（スロット情報の更新）。
〔Ｓ４３〕制御ユニット１０は、応答（ＣＯＭＰＬＤ）を保守端末６へ送信する。
〔Ｓ４４〕制御ユニット１０は、コマンド（Ｒｅｓｔａｒｔ　Ｒｅｑ）をスロット１の加入者ユニット２０−１ａへ送信する。
〔Ｓ４５〕加入者ユニット２０−１ａのスロット情報保持部２１は、スロット情報テーブルＴ１から自己のスロット情報Ｄ１ａ−１を取り出して保持する。
〔Ｓ４６〕加入者ユニット２０−１ａは、応答（Ｒｅｓｔａｒｔ　ＯＫ）を制御ユニット１０へ送信する。
【００４８】
次にデータ更新手順について説明する。図１６は加入者ユニット２０−１ａのデータ更新手順を示す図である。
〔Ｓ５１〕保守端末６は、加入者ユニット２０−１ａのデータコンバートコマンド（ＣＰＹ−ＤＡＴＡ：ＡＡＡ：ＭＰＵ，Ｅ１−１：Ｃ０１０：：：；）を制御ユニット１０へ送信する。
〔Ｓ５２〕制御ユニット１０のデータ展開処理部１４は、内部バッファ１３ａにバックアップされている加入者ユニット２０−１、２０−３の加入者データ（データＡ、Ｂ）をスロット情報テーブルＴ１に再設定する。
【００４９】
この場合、データ展開処理部１４は、内部バッファ１３ａにコピーされた加入者ユニット２０−１、２０−３の加入者データのチェックサムを計算し、加入者ユニット２０−１ａのデータエリアにコピーされた設定データのチェックサムを計算しこれらを比較する。比較結果が合致した場合、コピーした設定データに含まれるＡＩＤを加入者ユニット２０−１ａのものに書き替える（バスマッピング情報テーブルＴ２のＡＩＤの書き替えについては図２６で示す）。
〔Ｓ５３〕データコンバート処理が正常に終了したならばデータ展開処理部１４は、オペレータにデータコンバート完了レポートを通知する。比較結果が不一致だった場合は、コピー失敗と判定し、コンバート失敗レポートを通知する。
【００５０】
次に加入者ユニット２０−３の登録削除手順について説明する。図１７は加入者ユニット２０−３の登録削除手順を示す図である。
〔Ｓ６１〕保守端末６は、加入者ユニット２０−３の登録削除コマンド（ＤＬＴ−ＣＯＮＦ：ＡＡＡ：１−３：Ｃ００８：；）を制御ユニット１０へ送信して、加入者ユニット２０−３をＯＯＳに設定する。
〔Ｓ６２〕制御ユニット１０のデータ展開処理部１４は、スロット情報テーブルＴ１に登録されているスロット情報Ｄ３と、加入者ユニット２０−３のスロット情報保持部２１内で保持されているスロット情報Ｄ３を削除する。
〔Ｓ６３〕データ展開処理部１４は、登録削除した旨をオペレータに通知する。その後、オペレータは、加入者ユニット２０−３をスロット３から取り外す。
【００５１】
次に加入者ユニット２０−３のＩＳ（インサービス）設定手順について説明する。図１８は加入者ユニット２０−１ａのＩＳ設定手順を示す図である。
〔Ｓ７１〕保守端末６は、加入者ユニット２０−１ａのＩＳ設定コマンド（ＲＳＴ−ＣＯＮＦ：ＡＡＡ：１−１：１：Ｃ０１３：；）を制御ユニット１０へ送信して保守モードを解除する。
〔Ｓ７２〕制御ユニット１０は応答を送信する。このような動作により、１５ｃｈ収容の加入者ユニット２０−１、２０−３を、３０ｃｈ収容の加入者ユニット２０−１ａに交換することができた（スロット３は空きスロットとなる）。
【００５２】
また、制御ユニット１０では、バスマッピング情報テーブルＴ２内にあらたな加入者ユニット２０−３のＡＩＤが登録されており、ＴＳＡは、このＡＩＤを用いてクロスコネクトを実行する。このため、加入者ユニットを交換してアップグレードする場合に、従来のように、ＴＳＡのクロスコネクト情報をオペレータが消去・設定するといった処理の必要がなくなるので、保守時間の短縮化を図ることが可能になる。
【００５３】
なお、図１６において、コンバート失敗時に保守モード解除コマンドが入力された場合、制御ユニット１０はこのコマンドをＲｅｊｅｃｔする。またコンバートに失敗した場合は加入者ユニット２０−１ａを登録抹消し、再度、スロット１、スロット３に加入者ユニット２０−１、２０−３を実装し、再登録することで、内部バッファ１３ａにバックアップした設定データをそのまま加入者ユニット２０−１、２０−３に再設定し元の状態を復旧することができる。
【００５４】
次に図９〜図１８のそれぞれのシーケンスに対応する、テーブル管理部１１及びスロット情報保持部２１内のデータ遷移について説明する。図１９〜図２８はデータ遷移を示す図である。図１９は図９のシーケンスに対応するデータ遷移を示している。スロット１に加入者ユニット２０−１が実装されて登録された場合、スロット情報テーブルＴ１には、データベースから読み出されたスロット情報Ｄ１が登録され、バスマッピング情報テーブルＴ２には、データベースから読み出されたバスマッピング情報Ｍ１が登録される。また、加入者ユニット２０−１のスロット情報保持部２１内にスロット情報Ｄ１が保持される。なお、保守動作は行っていないため保守フラグは０である。
【００５５】
ここで、スロット情報Ｄ１は、ユニット種別はＳＬＣ１５、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１（Ｅ０−１の１）、Ｅ０−Ｂｕｓ　Ｗｉｄｔｈは１５、加入者データはデータＡである。
【００５６】
また、バスマッピング情報Ｍ１は、Ｅ１−３２の欄のＥ０−１〜Ｅ０−１５に、加入者ユニット２０−１の加入者ｃｈのＡＩＤが登録される。例えば、Ｅ０−１のＡＩＤが１−１−１とは、シェルフ１−スロット１−１番目のチャネルを表している。
【００５７】
図２０は図１０のシーケンスに対応するデータ遷移を示している。スロット３に加入者ユニット２０−３が実装されて登録された場合、スロット情報テーブルＴ１には、データベースから読み出されたスロット情報Ｄ３が登録され、バスマッピング情報テーブルＴ２には、データベースから読み出されたバスマッピング情報Ｍ３が登録される。また、加入者ユニット２０−３のスロット情報保持部２１内にスロット情報Ｄ３が保持される。なお、保守動作は行っていないため保守フラグは０である。
【００５８】
ここで、スロット情報Ｄ３は、ユニット種別はＳＬＣ１５、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１７（Ｅ０−１７の１７）、Ｅ０−Ｂｕｓ　Ｗｉｄｔｈは１５、加入者データはデータＢである。
【００５９】
また、バスマッピング情報Ｍ３は、Ｅ１−３２の欄のＥ０−１７〜Ｅ０−３１に、加入者ユニット２０−３の加入者ｃｈのＡＩＤが登録される。例えば、Ｅ０−１７のＡＩＤが１−３−１とは、シェルフ１−スロット３−１番目のｃｈを表している。なお、図中、すでに登録済みまたは登録中の情報については太線枠で示す。
【００６０】
図２１は図１１のシーケンスに対応するデータ遷移を示している。スロット２に加入者ユニット２０−２が実装されて登録された場合、スロット情報テーブルＴ１には、データベースから読み出されたスロット情報Ｄ２が登録され、バスマッピング情報テーブルＴ２には、データベースから読み出されたバスマッピング情報Ｍ２が登録される。また、加入者ユニット２０−２のスロット情報保持部２１内にスロット情報Ｄ２が保持される。なお、保守動作は行っていないため保守フラグは０である。
【００６１】
ここで、スロット情報Ｄ２は、ユニット種別はＳＬＣ１５、ＴＲＵＮＫ／ＴＲＩＢはＴＲＩＢ、Ｅ１−Ｂｕｓ　Ｏｆｆｓｅｔは３１（Ｅ１バス＃３２はスロット１、スロット３で使われているため、次は＃３１となる）、Ｅ１−Ｂｕｓ　Ｗｉｄｔｈは１、Ｅ０−Ｂｕｓ　Ｏｆｆｓｅｔは１（Ｅ０−１の１）、Ｅ０−Ｂｕｓ　Ｗｉｄｔｈは１５、加入者データはデータＣである。
【００６２】
また、バスマッピング情報Ｍ２は、Ｅ１−３２の欄のＥ０−１〜Ｅ０−１５に、加入者ユニット２０−２の加入者ｃｈのＡＩＤが登録される。例えば、Ｅ０−１のＡＩＤが１−２−１とは、シェルフ１−スロット２−１番目のｃｈを表している。
【００６３】
図２２は図１２のシーケンスに対応するデータ遷移を示している。ここでは、スロット１の加入者ユニット２０−１に関連するユニットとして加入者ユニット２０−３が存在するので、その情報を内部バッファ１３ａに登録しておく。
【００６４】
内部バッファ１３ａは、ＩＤ、スロット、ユニット名称、加入者データ、Ｌｅｎｇｔｈ、チェックサム値の項目から構成される。ここでの内部バッファ１３ａへの登録情報としては、ＩＤ＝１に対して、スロットが１−１（シェルフ１のスロット１）、ユニット名称がＳＬＣ１５（１５ｃｈの加入者ユニット２０−１）と登録され、関連ユニットとして、ＩＤ＝２に対して、スロットが１−３（シェルフ１のスロット３）、ユニット名称がＳＬＣ１５（１５ｃｈの加入者ユニット２０−３）と登録される。なお、保守動作としては移行処理を行っているので、保守フラグは１１となる。
【００６５】
図２３は図１３のシーケンスに対応するデータ遷移を示している。ここでは、バックアップ処理（コピー処理）が行われるので、内部バッファ１３ａには、加入者ユニット２０−１、２０−３の加入者データ（データＡ、データＢ）が格納され、そのときのＬｅｎｇｔｈとチェックサム値も格納される。
【００６６】
すなわち、ＩＤ＝１に対して、スロットが１−１、ユニット名称がＳＬＣ１５、加入者データがデータＡ、ＬｅｎｇｔｈがＬＡ、チェックサム値がＳｕｍＡと登録され、ＩＤ＝２に対して、スロットが１−３、ユニット名称がＳＬＣ１５、加入者データがデータＢ、ＬｅｎｇｔｈがＬＢ、チェックサム値がＳｕｍＢと登録される。なお、保守動作としてはコピー処理を行っているので、保守フラグは１２となる。
【００６７】
図２４は図１４のシーケンスに対応するデータ遷移を示している。ここでは、加入者ユニット２０−１の登録削除が行われる。したがって、スロット情報テーブルＴ１内のスロット情報Ｄ１と、加入者ユニット２０−１内のスロット情報保持部２１内のスロット情報Ｄ１が削除される。
【００６８】
図２５は図１５のシーケンスに対応するデータ遷移を示している。ここでは、加入者ユニット２０−１と、３０ｃｈ収容可能な加入者ユニット２０−１ａが交換されて、加入者ユニット２０−１ａに対してデフォルト値の登録が行われる。
【００６９】
スロット情報テーブルＴ１には、データベースから読み出された加入者ユニット２０−１ａのスロット情報Ｄ１ａ−１が登録される。
ここで、スロット情報Ｄ１ａ−１は、ユニット種別はＳＬＣ３０、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１、Ｅ０−Ｂｕｓ　Ｗｉｄｔｈは３０、加入者データはデータＤｆ（データベースからのデフォルトデータ）である。また、加入者ユニット２０−３のスロット情報保持部２１内にスロット情報Ｄ１ａ−１が保持される。
【００７０】
図２６は図１６のシーケンスに対応するデータ遷移を示している。ここでは、加入者ユニット２０−１ａに対してデータ更新（内部バッファ１３ａから加入者ユニットへのデータ展開処理）が行われるので、加入者データのデータＤｆが、データＡ、データＢに置き換えられる。そして、バスマッピング情報も３０ｃｈ収容対応に変更される。
【００７１】
すなわち、スロット情報テーブルＴ１のスロット情報Ｄ１ａは、ユニット種別はＳＬＣ３０、ＴＲＵＮＫ／ＴＲＩＢはＴＲＩＢ、Ｅ１−Ｂｕｓ　Ｏｆｆｓｅｔは３２、Ｅ１−Ｂｕｓ　Ｗｉｄｔｈは１、Ｅ０−Ｂｕｓ　Ｏｆｆｓｅｔは１、Ｅ０−Ｂｕｓ　Ｗｉｄｔｈは３０、加入者データはデータＡ、データＢである。また、加入者ユニット２０−３のスロット情報保持部２１内にスロット情報Ｄ１ａが保持される。
【００７２】
さらに、バスマッピング情報Ｍ１ａは、Ｅ１−３２の欄のＥ０−１〜Ｅ０−１５及びＥ０−１７〜Ｅ０−３１に、加入者ユニット２０−１ａの３０ｃｈ分のＡＩＤが登録される。なお、保守動作としては展開処理を行っているので、保守フラグは１３となる。
【００７３】
図２７は図１７のシーケンスに対応するデータ遷移を示している。ここでは、加入者ユニット２０−３の登録削除が行われる。したがって、スロット情報テーブルＴ１内のスロット情報Ｄ３と、加入者ユニット２０−３内のスロット情報保持部２１内のスロット情報Ｄ３が削除される。
【００７４】
図２８は図１８のシーケンスに対応するデータ遷移を示している。ここでは、加入者ユニット２０−３のＩＳ設定が行われ、内部バッファ１３ａ上のデータはクリアされる。
【００７５】
次に状態表示制御部１５による保守状態表示の一例について説明する。図２９は状態表示遷移を示す図である。
〔Ｓ８１〕図１２で保守モードへ移行したとき、保守モード移行処理部１２は、保守モード移行完了通知をオペレータに渡す。このとき、状態表示制御部１５は、オペレータに交換すべきユニットを認識させるため、指定ユニットである加入者ユニット２０−１の保守状態表示ＬＥＤを黄点滅、関連ユニットである加入者ユニット２０−３の保守状態表示ＬＥＤを緑点滅させる。なお、このＬＥＤ表示は、ユニットの状態によって表示色が変化するが、保守モード解除コマンドまで点滅状態を継続する。
〔Ｓ８２〕加入者ユニット２０−１の登録が削除されると、状態表示制御部１５は、加入者ユニット２０−１の保守状態表示ＬＥＤを赤点滅させる（スロット１に対しては、加入者ユニット２０−１の登録はすでに削除したので、誤実装とみなして赤点滅させる）。
〔Ｓ８３〕スロット１にあらたな加入者ユニット２０−１ａが実装して、加入者ユニット２０−１ａの登録を行うと、状態表示制御部１５は、加入者ユニット２０−１ａの保守状態表示ＬＥＤを黄点滅させる（保守中なので黄点滅）。
〔Ｓ８４〕加入者ユニット２０−３が抜かれ、加入者ユニット２０−１ａがＩＳとなると、状態表示制御部１５は、加入者ユニット２０−１ａの保守状態表示ＬＥＤを消灯（または点灯）させる（保守が終了し、ＩＳになった）。
【００７６】
次に具体的なコマンドを示しながら図２で示したＡＮシステム１ａを例にして、本発明の動作（図１２以降からの動作）についてさらに詳しく説明する。保守モード移行の準備処理として、オペレータは、まず、装置に対して指定ユニットを選び、保守モード移行宣言のコマンドを発行する。コマンド例は、ＲＭＶ−ＣＯＮＦ：ＡＡＡ：１−１：Ｃ００１：：：ＵＰＧＲＡＤＥ＝Ｙ，ＷＡＩＴ＝１５：；１（装置名：ＡＡＡのスロット１−１（シェルフ１番）に実装したユニットをアップグレードする。回線使用中は最大１５分間、強制ブロックをＷａｉｔする）である。
【００７７】
制御ユニット１０は、このコマンドを受信すると制御ユニット１０内のバスマッピング情報テーブルＴ２を検索し、スロット１−１のＳＬＣ１５と同じトリビュタリバスにマッピングされている加入者ユニットを検索する。
【００７８】
検索の結果、スロット１−３のＳＬＣ１５を検出する。そしてスロット１−１のＳＬＣ１５の保守状態表ＬＥＤを黄点滅（ユニット変更準備状態）にし、スロット１−３のＳＬＣ１５（以下、ペアユニットと呼ぶ）の保守状態表示ＬＥＤを緑点滅（付随変更準備状態）にする。
【００７９】
次にこれらの加入者ユニットがマッピングされているバスのチャネル使用状態をチェックし、接続待ち状態のチャネルをブロック状態にして、新規接続要求をＲｅｊｅｃｔする。また、使用中のチャネルはユーザ通話が終了し、接続待ちになった時点でブロック状態に移行し、新規接続を制限する。
【００８０】
通常、このような保守作業は日時を決め、ユーザに周知して行われる。もしもこの周知した時間にユーザが通話を終えなかった場合には、オペレータがコマンドで指定したタイマの時間だけ通話終了を待つ。このタイマ内で通話が完了しなかった場合、該当するチャネルは強制切断され、ブロック状態に移行する。そして、制御ユニット１０は、オペレータに対して、どのチャネルを強制ブロックしたかをレポートで通知する。このようにして該当バスのすべてのチャネルがブロック状態になった時点で、制御ユニット１０はオペレータに対し、全チャネル保守モード移行完了をレポート通知する。レポート例は、
ＡＡＡ　０１０９２０　１３３０２５
Ａ　０００１　ＲＥＰＴ　ＥＶＥＮＴ　ＴＲＩＢ“Ｅ１−１：ＡＬＬ−ＰＯＲＴ−ＢＬＯＣＫＥＤ，ＳＣ，，，ＮＥＮＤ，，：，，ＡＬＬ　ＵＳＥＲＰＯＲＴＩＳ　ＢＬＯＣＫＥＤ．”
；
（０１／９／２０　１３：３０：２５　に装置名：ＡＡＡのＴｒｉｂ　Ｅ１−１のすべてのポートがブロックされた）
このレポートの受信後、オペレータはスロット１−１／１−３のＳＬＣ１５の設定データを制御ユニット１０の内部バッファ１３ａにバックアップする。コマンド例は、ＣＰＹ−ＤＡＴＡ：ＡＡＡ：Ｅ１−１，ＭＰＵ：Ｃ００２：：：：；（装値名：ＡＡＡのＥ１−１にマッピングされたユニットのデータを制御ユニット１０にコピーする）である。
【００８１】
このコマンドを実行する際、制御ユニット１０はスロット１−１／１−３の設定データエリアのチェックサムを計算する。そして、コピーした内部バッファ１３ａ上のデータのチェックサムを計算して比較し、合致すればコピー完了、合致しない場合や転送中にユニットが抜かれるなどして処理が破碇した場合はコピー失敗と判定する。
データコピー完了後、制御ユニット１０は、オペレータにコピー完了を通知する。レポート例は、
ＡＡＡ　０１０９２０　１３３０２５
Ａ　０００１　ＲＥＰＴ　ＥＶＥＮＴ　ＴＲＩＢ
“Ｅ１−１：ＣＰＹ−ＤＡＴＡ−ＣＯＭＰＬＤ，ＴＣ，，，ＮＥＮＤ，，：，，ＰＲＯＶ−ＤＡＴＡ−ＣＯＰＹ　ＩＳ　ＣＯＰＭＬＥＴＥＤ．”
；
（２００１／９／２０　１３：３０：２５　に装置名：ＡＡＡのＥ１−１の設定データコピーが完了した。）である。
【００８２】
コピーに失敗した場合はコピー失敗を通知し、バッファをクリアする。レポート例は、
ＡＡＡ　０１０９２０　１３３０２５
Ａ　０００１　ＲＥＰＴ　ＥＶＥＮＴ　ＴＲＩＢ
“Ｅ１−１：ＣＰＹ−ＤＡＴＡ−ＦＡＩＬ，ＴＣ，，，ＮＥＮＤ，，：，，ＰＲＯＶ−ＤＡＴＡ−ＣＯＰＹ　ＩＳ　ＦＡＩＬＥＤ．”
；
（２００１／９／２０　１３：３０：２５　に装置名：ＡＡＡのＥ１−１の設定データコピーが失敗した）である。
【００８３】
次にユニット交換処理について説明する。オペレータは指定ユニット（ＬＥＤ黄点滅）の全チャネルとユニットサービスをＯＯＳに変更する。
ＤＬＴ−ＶＦ：ＡＡＡ：１−１−１＆＆１−１−１５：Ｃ００３：；
（装値名：ＡＡＡのＳｌｏｔ１−１のチャネル１から１５をＯＯＳにする）
ＤＬＴ−ＥＱＰＴ：ＡＡＡ：１−１：Ｃ００４：；
（装値名：ＡＡＡのＳｌｏｔ１−１をＯＯＳにする）
続いてペアユニット（緑点滅）の全チャネルとユニットサービスをＯＯＳに変更する。
ＤＬＴ−ＶＦ：ＡＡＡ：１−３−１＆＆１−３−１５：Ｃ００５：；
（装値名：ＡＡＡのＳｌｏｔ１−１のチャネル１から１５をＯＯＳにする）
ＤＬＴ−ＥＱＰＴ：ＡＡＡ：１−３：Ｃ００６：；
（装値名：ＡＡＡのＳｌｏｔ１−１をＯＯＳにする）
そしてスロット１−１に対する指定ユニットの設定を削除する。
ＤＬＴ−ＣＯＮＦ：ＦＵＪＩＴＳＵ：１−１：Ｃ００７：；
この時点でスロット１−１は、ユニット実装設定が削除されるため、制御ユニット１０は、誤実装ユニット未登録のレポートをオペレータに通知し、指定ユニットの保守状態表示ＬＥＤは赤点滅（ユニット誤実装状態）に遷移する。
【００８４】
ここで、オペレータはスロット１−１のＳＬＣ１５とＳＬＣ３０を交換する。この時点でもスロット１−１は、ユニット実装設定がないいためスロット１−１の状態は誤実装未登録であり、ＳＬＣ３０の保守状態表示ＬＥＤは赤点滅（ユニット誤実装状態）となる。
【００８５】
オペレータはここでスロット１−１にＳＬＣ３０を登録する。
ＥＮＴ−ＣＯＮＦ：ＡＡＡ：１−１：Ｃ００９：：ＳＬＣ３２：：：：；
（装値名：ＡＡＡのＳＬＯＴ１−１にＳＬＣ３２を登録する。）
このときにＳＬＣ３０以外を設定すると、設定コマンドはＲｅｊｅｃｔされる。このユニット登録により指定スロット１−１は正常実装状態となる。保守状態は継続しているので、制御ユニット１０はＳＬＣ３０の保守状態表示ＬＥＤを黄点滅に遷移させる。また、制御ユニット１０は、ＳＬＣ３０に対しデフォルトのプロビジョニングデータを展開する。
【００８６】
次にデータ展開処理（データコンバート処理）について説明する。オペレータはデータコンバート処理実行コマンドを実行する。このコマンドにより制御ユニット１０は、内部バッファ１３ａ内にコピーした指定ユニットとペアユニットのユニット個別設定データをＳＬＣ３０の設定データエリアに上書き展開する。コマンド例は、
ＣＰＹ−ＤＡＴＡ：ＡＡＡ：ＭＰＵ，Ｅ１−１：Ｃ０１０：：：：；
（装値名：ＡＡＡのＭＰＵにコピーしたデータをＥ１−１に展開する）
もしも、実装されたユニットが更新ユニットと異なるユニットで誤実装登録不一致状態（ＬＥＤ赤点滅）であった場合はデータコンバート実行コマンドをＲｅｊｅｃｔする。
【００８７】
この展開作業を実施する際に制御ユニット１０は内部バッファ１３ａに収容されたスロット１−１／１−３のＳＬＣ１５設定データのチェックサムを計算し、展開後のスロット１−１のデータエリアのチェックサム計算値と比較する。比較した結果が合致した場合はコピー成功とし、制御ユニット１０はＥ１−１の設定データのＡＩＤ（ＳＬＣ１５用の１〜１５ｃｈ）をＳＬＣ３０用（１〜３０ｃｈ）に更新する。
【００８８】
データ展開が完了した時点でＭＰＵはオペレータに対しデータコンバート完了レポートを通知する。
ＡＡＡ　０１０９２０　１３３０２５
Ａ　０００１　ＲＥＰＴ　ＥＶＥＮＴ　ＭＰＵ
“ＭＰＵ：ＣＰＹ−ＤＡＴＡ−ＣＯＭＰＬＤ，ＴＣ，，，ＮＥＮＤ，，：，，ＰＲＯＶ−ＤＡＴＡ−ＣＯＰＹ　ＩＳ　ＣＯＰＭＬＥＴＥＤ．”
；
（２００１／９／２０　１３：３０：２５　に装置名：ＡＡＡのＭＰＵのデータコピーが完了した。）
コピー後のチェックサム不一致やデータ展開中にユニットを抜かれるなどして処理が破碇した場合、制御ユニット１０はコピー失敗と判定し、オペレータに対しコピー失敗を通知、バッファをクリアする。レポート例
ＡＡＡ　０１０９２０　１３３０２５
Ａ　０００１　ＲＥＰＴ　ＥＶＥＮＴ　ＭＰＵ
“ＭＰＵ：ＣＰＹ−ＤＡＴＡ−ＦＡＩＬ，ＴＣ，，，ＮＥＮＤ，，：，，ＰＲＯＶ−ＤＡＴＡ−ＣＯＰＹ　ＩＳ　ＦＡＩＬＥＤ．”
；
（２００１／９／２０　１３：３０：２５　に装置名：ＡＡＡのＭＰＵのデータコピーが失敗した。）
次に保守モード解除処理について説明する。データ展開処理完了後、オペレータはＳＬＣ３０のユニットサービス、チャネルサービスをＩＳに設定する。コマンド例は、
ＥＮＴ−ＥＱＰＴ：ＡＡＡ：１−１：Ｃ０１１：；
ＥＮＴ−ＶＦ：ＡＡＡ：１−１−１＆＆１−１−３０：Ｃ０１２：；
最後にオペレータは、装置に対し不要になったペアユニットの登録を削除し保守モード解除コマンドを実行する。これによりチャネルのブロック設定が解除され、ユーザの通話サービスを回復できる。コマンド例
ＲＳＴ−ＣＯＮＦ：ＡＡＡ：１−１：Ｃ０１３：；
データ展開処理が失敗した場合、ＲＳＴ−ＣＯＮＦコマンドはＲｅｊｅｃｔされる。この場合、再度展開処理を行うか、スロット１−１のＳＬＣ３０を削除し、再度スロット１−１／１−３にＳＬＣ１５を設定し、アップグレード取り消しコマンドを実行する。
【００８９】
これにより制御ユニット１０はＥ１−１に対し、バッファのデータをそのまま展開し（ＡＩＤ変更なし）、もとの状態を再現できるようにする。コマンド例
ＣＡＮＣ−ＣＯＮＦ：ＡＡＡ：１−１：Ｃ０１４：：：ＵＰＧＲＡＤＥ＝Ｎ：；
（装値名：ＡＡＡのスロット１−１のアップグレード処理を中止する。）
データ復旧後、ユニット、チャネルをＩＳにし、保守モードを解除することで元のサービスを復元する。
【００９０】
次にフローチャートを用いて動作について説明する。図３０はアップグレード処理の概要を示すフローチャートである。
〔Ｓ１１０〕保守モード移行処理部１２は、保守モード移行処理を行う。
〔Ｓ１２０〕バックアップ処理部１３は、データバックアップ処理を行う。
〔Ｓ１３０〕オペレータはユニット交換を行う。
〔Ｓ１４０〕データ展開処理部１４は、データ展開処理を行う。
〔Ｓ１５０〕データ展開処理部１４は、ペアユニットを削除する。
〔Ｓ１６０〕オペレータは、チャネルＩＳ設定を制御ユニット１０に対して行う。
〔Ｓ１７０〕オペレータは、保守モード解除処理を制御ユニット１０に対して行う。
【００９１】
図３１は保守モード移行処理の概要を示すフローチャートである。
〔Ｓ１１１〕コマンド指定ＡＩＤでスロット情報テーブルＴ１をサーチする。
〔Ｓ１１２〕該当Ｅ１バスを検出する。
〔Ｓ１１３〕バスマッピング情報テーブルＴ２の検索処理を行う。
〔Ｓ１１４〕指定ユニットの状態表示ＬＥＤを黄点滅させる。
〔Ｓ１１５〕ペアユニットの状態表示ＬＥＤを緑点滅させる。
〔Ｓ１１６〕該当Ｅ１の全ｃｈのブロック処理を行う。
〔Ｓ１１７〕保守モード移行準備完了レポートを送信する。
〔Ｓ１１８〕保守フラグを移行に設定する。
【００９２】
図３２はバスマッピング情報テーブルＴ２の検索処理の概要を示すフローチャートである。
〔Ｓ１１３ａ〕サーチカウンタをリセットする（ｉ＝０）。
〔Ｓ１１３ｂ〕バッファＩＤをリセットする（Ｎ＝１）。
〔Ｓ１１３ｃ〕検索対象Ｅ１のＥ０−ｉの先頭２桁をサーチする。
〔Ｓ１１３ｄ〕サーチしたＡＩＤと内部バッファ１３ａに記録したＡＩＤを比較する。
〔Ｓ１１３ｅ〕一致か否かを判断する。一致はステップＳ１１３ｉへ、不一致はステップＳ１１３ｆへ行く。
〔Ｓ１１３ｆ〕サーチした２桁を内部バッファ１３ａのＩＤ＝Ｎに記録する。
〔Ｓ１１３ｇ〕サーチＡＩＤに該当するユニット名を内部バッファ１３ａのＩＤ＝Ｎに記録する。
〔Ｓ１１３ｈ〕Ｎ＝Ｎ＋１に設定する。
〔Ｓ１１３ｉ〕ｉ＝ｉ＋１に設定する。
〔Ｓ１１３ｊ〕ｉ＜３２を判断する。ｉ＜３２ならステップＳ１１３ｃへ戻り、ｉ＝３２なら終了する。
【００９３】
図３３は検出Ｅ１−ＡＩＤのブロック処理の概要を示すフローチャートである。
〔Ｓ１１６ａ〕サーチカウンタをリセットする（ｊ＝１）。
〔Ｓ１１６ｂ〕ｊ＝１６か判断する。ｊ＝１６ならステップＳ１１６ｆへ、そうでなければステップＳ１１６ｃへ行く。
〔Ｓ１１６ｃ〕Ｅ１−ｊの使用状況をチェックする。
〔Ｓ１１６ｄ〕ビジー状態か否かを判断する。ビジーならステップＳ１１６ｆへ、そうでなければステップＳ１１６ｅへ行く。
〔Ｓ１１６ｅ〕Ｅ１−ｊをブロックする。
〔Ｓ１１６ｆ〕ｊ＝ｊ＋１を設定する。
〔Ｓ１１６ｇ〕ｉ＝３２か判断する。ｉ＝３２ならステップＳ１１６ｈへ行き、そうでなければステップＳ１１６ｃへ戻る。
〔Ｓ１１６ｈ〕全Ｅ０がブロック状態か否かを判断する。ブロック状態であれば終了する。そうでなければステップＳ１１６ｉへ行く。
〔Ｓ１１６ｉ〕設定時間内か否かを判断する。設定時間内であればステップＳ１１６ａへ戻る。そうでなければステップＳ１１６ｊへ行く。
〔Ｓ１１６ｊ〕ビジーチャネルを強制ブロックする。
〔Ｓ１１６ｋ〕強制ブロックを通知する。
【００９４】
図３４、図３５はデータバックアップ処理の概要を示すフローチャートである。
〔Ｓ１２１〕ＡＩＤが正しいか否かを判断する。正しければステップＳ１２２へ行き、正しくなければステップＳ１２３へ行く。
〔Ｓ１２２〕保守フラグがコピーフラグか判断する。コピーフラグならステップＳ１２４へ、そうでなければステップＳ１２３へ行く。
〔Ｓ１２３〕コマンドをＲｅｊｅｃｔする。
〔Ｓ１２４〕Ｍ＝Ｎを設定する。
〔Ｓ１２５〕内部バッファ１３ａに記録したＩＤ＝Ｍのスロット番号Ｘを読み出す。
〔Ｓ１２６〕Ｉ＝２７６・（Ｘ−１）＋２０＋１、Ｊ＝２７６・Ｘ＋１を設定する。
〔Ｓ１２７〕スロット情報テーブルＴ１のＪ文字目Ｄａｔａ−Ｊを検索する。
〔Ｓ１２８〕Ｄａｔａ−Ｊ＝ＥＥか判断する。Ｄａｔａ−Ｊ＝ＥＥならステップＳ１２０−１へ、そうでなければステップＳ１２９へ行く。
〔Ｓ１２９〕Ｊ＝Ｊ−１を設定し、ステップＳ１２７へ戻る。
〔Ｓ１２０−１〕Ｌｅｎｇｔｈ＝Ｊ−Ｉを設定する。
〔Ｓ１２０−２〕スロット情報テーブルＴ１のＩ番地からＬｅｎｇｔｈ分のデータのチェックサムを計算する。
〔Ｓ１２０−３〕Ｌｅｎｇｔｈとチェックサムを内部バッファ１３ａに記録する。
〔Ｓ１２０−４〕スロット情報テーブルＴ１のＩ番地からＬｅｎｇｔｈ分のデータを内部バッファ１３ａにコピーする。
〔Ｓ１２０−５〕内部バッファ１３ａにコピーしたデータのチェックサムを計算する。
〔Ｓ１２０−６〕チェックサムが一致か否かを判断する。一致ならステップＳ１２０−９へ、不一致ならステップＳ１２０−７へ行く。
〔Ｓ１２０−７〕バックアップの失敗通知を送信する。
〔Ｓ１２０−８〕内部バッファ１３ａをクリアする。
〔Ｓ１２０−９〕Ｍ＝Ｍ＋１を設定する。
〔Ｓ１２０−１０〕Ｍ＋１が存在するかを判断する。存在すればステップＳ１２５へ、存在しなければステップＳ１２０−１１へ行く。
〔Ｓ１２０−１１〕バックアップ完了通知を送信し、保守フラグのコピー設定にする。
【００９５】
図３６、図３７はデータ展開処理の概要を示すフローチャートである。
〔Ｓ１４１〕ＡＩＤが正しいか否かを判断する。正しければステップＳ１４２へ行き、正しくなければステップＳ１４３へ行く。
〔Ｓ１４２〕保守フラグがコピー設定フラグになっているか否かを判断する。コピー設定フラグであればステップＳ１４４へ、そうでなければステップＳ１４３へ行く。
〔Ｓ１４３〕コマンドをＲｅｊｅｃｔする。
〔Ｓ１４４〕Ｍ＝Ｎを設定する。
〔Ｓ１４５〕内部バッファ１３ａに記録したＩＤをＭとする。
〔Ｓ１４６〕Ｉ＝２７６・（Ｘ−１）＋２０＋１を設定する。
〔Ｓ１４７〕スロット情報テーブルＴ１のＩ文字目からＩＤ＝ＭのバックアップデータをＬｅｎｇｔｈ分だけコピーする。
〔Ｓ１４８〕コピーしたデータのチェックサムを計算する。
〔Ｓ１４９〕チェックサムが一致か否かを判断する。一致ならステップＳ１４０−２へ、不一致ならステップＳ１４０−１へ行く。
〔Ｓ１４０−１〕データ展開失敗通知を送信する。
〔Ｓ１４０−２〕Ｉ＝Ｉ＋Ｌｅｎｇｔｈを設定する。
〔Ｓ１４０−３〕Ｍ＝Ｍ＋１を設定する。
〔Ｓ１４０−４〕Ｍ＋１が存在するかを判断する。存在すればステップＳ１４７へ戻り、存在しなければステップＳ１４０−５へ行く。
〔Ｓ１４０−５〕バスマッピング情報テーブルＴ２の該当Ｅ１に対してＡＩＤを上書き更新する。
〔Ｓ１４０−６〕データ展開完了通知を送信する。
〔Ｓ１４０−７〕保守フラグを展開設定にする。
【００９６】
図３８は保守モード解除処理を示すフローチャートである。
〔Ｓ１７１〕ＡＩＤが正しいか否かを判断する。正しければステップＳ１７２へ行き、正しくなければステップＳ１７３へ行く。
〔Ｓ１７２〕保守フラグが展開設定フラグになっているか否かを判断する。展開設定フラグであればステップＳ１７４へ、そうでなければステップＳ１７３へ行く。
〔Ｓ１７３〕コマンドをＲｅｊｅｃｔする。
〔Ｓ１７４〕削除ユニットのスロット情報をクリアする。
〔Ｓ１７５〕該当Ｅ１の全チャネルのブロックを解除する。
〔Ｓ１７６〕ユニットの状態表示ＬＥＤ黄点滅を解除する。
〔Ｓ１７７〕内部バッファ１３ａをクリアにする。
〔Ｓ１７８〕保守フラグをクリアにする。
【００９７】
図３９はアップグレード処理失敗時のデータ復旧処理の概要を示すフローチャートである。
〔Ｓ１８１〕更新ユニットの登録を削除する。
〔Ｓ１８２〕復旧ユニットを登録する。
〔Ｓ１８３〕復旧ユニットは元のユニットと同じか判断する。同じならステップＳ１８４へ、同じでなければステップＳ１８５へ行く。
〔Ｓ１８４〕コマンドをＲｅｊｅｃｔする。
〔Ｓ１８５〕データ再展開処理を行う。
〔Ｓ１８６〕復旧ユニットのユニットをＩＳ設定にする。
〔Ｓ１８７〕復旧ユニットのチャネルをＩＳ設定にする。
〔Ｓ１８８〕保守モード解除処理を行う（ステップＳ１７０と同じ）。
【００９８】
図４０はデータ再展開処理の概要を示すフローチャートである。
〔Ｓ１８５ａ〕ＡＩＤが正しいか否かを判断する。正しければステップＳ１８５ｂへ行き、正しくなければステップＳ１８５ｄへ行く。
〔Ｓ１８５ｂ〕ＡＩＤの設定ユニットが内部バッファ１３ａに記録したユニットと一致するか否かを判断する。一致すればステップＳ１８５ｃへ行き、不一致ならばステップＳ１８５ｄへ行く。
〔Ｓ１８５ｃ〕保守フラグがコピー設定フラグになっているか否かを判断する。コピー設定フラグであればステップＳ１８５ｅへ、そうでなければステップＳ１８５ｄへ行く。
〔Ｓ１８５ｄ〕コマンドをＲｅｊｅｃｔする。
〔Ｓ１８５ｅ〕指定ＡＩＤからスロット番号Ｘを読み出す。
〔Ｓ１８５ｆ〕Ｉ＝２７６・（Ｘ−１）＋２０＋１を設定する。
〔Ｓ１８５ｇ〕スロット情報テーブルＴ１のＩ文字目から指定ＡＩＤのバックアップデータをＬｅｎｇｔｈ分だけコピーする。
〔Ｓ１８５ｈ〕コピーしたデータのチェックサムを計算する。
〔Ｓ１８５ｉ〕チェックサムが一致か否かを判断する。一致ならステップＳ１８５ｋへ、不一致ならステップＳ１８５ｊへ行く。
〔Ｓ１８５ｊ〕データ展開失敗通知を送信する。
〔Ｓ１８５ｋ〕データ展開成功通知を送信する。
〔Ｓ１８５ｍ〕保守フラグを展開設定にする。
【００９９】
次にＡＮシステム１ａの運用形態について説明する。図４１はＡＮシステムのＵＤＬＣモードの運用形態を示す図である。ＡＮシステム１ａ−１は、ＡＮ装置（ＲＴ：リモート）１０１とＡＮ装置（ＣＴ：センタ）１０２を含む。ＡＮ装置１０１は加入者と接続し、ＡＮ装置１０１とＡＮ装置１０２は光ファイバで接続し、ＡＮ装置１０２は交換機１０３と接続する。
【０１００】
ＡＮ装置１０１は、加入者ユニット１０１ａ、ＴＳＡ１０１ｂ、ＯＬＩＵ（光ラインインタフェースユニット）１０１ｃから構成され、ＡＮ装置１０２は、ＯＬＩＵ１０２ａ、ＴＳＡ１０２ｂ、ＥＬＣ（電気ラインカード）１０２ｃから構成される。
【０１０１】
ＵＤＬＣ（Ｕｎｉｖｅｒｓａｌ　Ｄｉｇｉｔａｌ　Ｌｏｏｐ　Ｃａｒｒｉｅｒ）では、交換機１０３はＡＮを意識せず、ＡＮ装置１０２と交換機１０３の間は加入者インタフェースであり、加入者と交換機１０３が一対一でつながる。
【０１０２】
図４２はＡＮシステムのＩＤＬＣモードの運用形態を示す図である。ＡＮシステム１ａ−２は、ＡＮ装置１０１とＡＮ装置１０４を含む。ＡＮ装置１０１は加入者と接続し、ＡＮ装置１０１とＡＮ装置１０４は光ファイバで接続し、ＡＮ装置１０４は交換機１０４と接続する。
【０１０３】
ＡＮ装置１０４は、ＯＬＩＵ１０４ａ、ＴＳＡ１０４ｂ、Ｅ１Ｂ２１（Ｅ１バス２１本）装置１０４ｃから構成される。ＩＤＬＣ（Ｉｎｔｅｇｒａｔｅｄ　Ｕｎｉｖｅｒｓａｌ　Ｄｉｇｉｔａｌ　Ｌｏｏｐ　Ｃａｒｒｉｅｒ）構成ではコストを下げるためにＡＮに集線機能を入れ、ＡＮ、交換機１０３間はＶ５インタフェースで通信する。なお、ＩＤＬＣの他の形態としては、ＳＬＣ、ＴＳＡ、Ｅ１Ｂ２１からなるＡＮ装置（ＲＴ）に加入者及び交換機を接続する構成もある。
【０１０４】
以上説明したように、本発明により、ユニットの持つ各加入者データ等、設定に莫大な時間を要するデータの再設定をユニットのアップグレード時に実施する必要がなくなり、保守時間を大幅に短縮することができる。
【０１０５】
また、本発明による保守制御を繰り返すことで、現在システムに搭載されている加入者ユニットを、より多くの加入者をサポートするユニットにすべて交換することができ、システムに搭載されるユニット数を減少させることが可能になる。これにより、拡張シェルフを用いずにより多くのユーザをサポートできる。
【０１０６】
なお、上記の説明では、ＡＮシステムを例にして説明したが、ＡＮに限らず、ＳＯＮＥＴ／ＳＤＨの伝送系や、光加入者アクセスの伝送系など、幅広い分野の伝送システムに対して、本発明の保守運用機能を適用することが可能である。
【０１０７】
（付記１）　伝送制御を行う伝送システムにおいて、
スロットに実装されたユニットのバス運用状態情報及び加入者データを含むスロット情報を登録するスロット情報テーブルと、バスにマッピングされたアクセスＩＤを登録するバスマッピング情報テーブルとを管理するテーブル管理部と、保守用のコマンドを受信した場合に、前記バスマッピング情報テーブルにもとづいて、前記コマンドで指定された指定ユニットと連続してバスが割り当てられている関連ユニットを検索し、取り外し対象ユニットの呼をブロックして保守モードへ移行する保守モード移行処理部と、前記取り外し対象ユニットの加入者データをバックアップするバックアップ処理部と、コマンドにもとづき、前記取り外し対象ユニットのスロット情報の削除及びあらたに実装される更新ユニットのスロット情報の更新を行ない、前記更新ユニットが実装された後に、バックアップしておいた前記加入者データを前記更新ユニットに展開して設定するデータ展開処理部と、から構成される制御ユニットと、
自己のスロット情報を保持するスロット情報保持部と、加入者線の接続制御を行う接続制御部と、から構成される加入者ユニットと、
を有することを特徴とする伝送システム。
【０１０８】
（付記２）　前記保守モード移行処理部は、保守開始時間からオペレータが任意に設定したタイマ値が経過した時点で、使用中の回線を強制切断して、保守モードへ移行することを特徴とする付記１記載の伝送システム。
【０１０９】
（付記３）　前記取り外し対象ユニットの保守遷移の状態表示制御を行う状態表示制御部をさらに有することを特徴とする付記１記載の伝送システム。
（付記４）　前記バックアップ処理部は、前記加入者データのバックアップを行う場合、加入者データエリアのチェックサムと、内部バッファにコピーした際のバッファデータのチェックサムとを計算し、双方のチェックサムが一致した場合に正常コピー終了とすることを特徴とする付記１記載の伝送システム。
【０１１０】
（付記５）　前記データ展開処理部は、前記加入者データの展開処理を行う場合、内部バッファにコピーしてあるバッファデータのチェックサムと、前記更新ユニットに展開した加入者データエリアのチェックサムとを計算し、双方のチェックサムが一致した場合に正常展開終了とすることを特徴とする付記１記載の伝送システム。
【０１１１】
（付記６）　前記テーブル管理部は、保守状態を示す保守フラグを有し、保守操作が行われているときは、テーブルアクセスを禁止することを特徴とする付記１記載の伝送システム。
【０１１２】
（付記７）　前記取り外し対象ユニットに、前記指定ユニットと前記関連ユニットがある場合、前記データ展開処理部は、前記指定スロットに前記加入者データを展開処理した後に、前記関連ユニットのスロット情報の削除を行うことを特徴とする付記１記載の伝送システム。
【０１１３】
（付記８）　伝送制御を行う制御ユニットにおいて、
スロットに実装されたユニットのバス運用状態情報及び加入者データを含むスロット情報を登録するスロット情報テーブルと、バスにマッピングされたアクセスＩＤを登録するバスマッピング情報テーブルとを管理するテーブル管理部と、保守用のコマンドを受信した場合に、前記バスマッピング情報テーブルにもとづいて、前記コマンドで指定された指定ユニットと連続してバスが割り当てられている関連ユニットを検索し、取り外し対象ユニットの呼をブロックして保守モードへ移行する保守モード移行処理部と、
前記取り外し対象ユニットの加入者データをバックアップするバックアップ処理部と、コマンドにもとづき、前記取り外し対象ユニットのスロット情報の削除及びあらたに実装される更新ユニットのスロット情報の更新を行ない、前記更新ユニットが実装された後に、バックアップしておいた前記加入者データを前記更新ユニットに展開して設定するデータ展開処理部と、
を有することを特徴とする制御ユニット。
【０１１４】
（付記９）　加入者線を収容する加入者ユニットにおいて、
自己のスロット情報を保持するスロット情報保持部と、
加入者線の接続制御を行う接続制御部と、
上位からの通知を受けて、保守遷移の状態を表示する保守遷移表示部と、
を有することを特徴とする加入者ユニット。
【０１１５】
（付記１０）　システムをアップグレードする際の保守管理制御を行う保守管理方法において、
スロットに実装されたユニットのバス運用状態情報及び加入者データを含むスロット情報を登録するスロット情報テーブルと、バスにマッピングされたアクセスＩＤを登録するバスマッピング情報テーブルとを管理し、
保守用のコマンドを受信した場合に、前記バスマッピング情報テーブルにもとづいて、前記コマンドで指定された指定ユニットと連続してバスが割り当てられている関連ユニットを検索し、
取り外し対象ユニットの呼をブロックして保守モードへ移行し、
前記取り外し対象ユニットの加入者データをバックアップし、
コマンドにもとづき、前記取り外し対象ユニットのスロット情報の削除及びあらたに実装される更新ユニットのスロット情報の更新を行ない、
前記更新ユニットが実装された後に、バックアップしておいた前記加入者データを前記更新ユニットに展開して設定することを特徴とする保守管理方法。
【０１１６】
（付記１１）　保守開始時間からオペレータが任意に設定したタイマ値が経過した時点で、使用中の回線を強制切断して、保守モードへ移行することを特徴とする付記１０記載の保守管理方法。
【０１１７】
（付記１２）　前記取り外し対象ユニットの保守遷移の状態表示制御を行うことを特徴とする付記１０記載の保守管理方法。
（付記１３）　前記加入者データのバックアップを行う場合、加入者データエリアのチェックサムと、内部バッファにコピーした際のバッファデータのチェックサムとを計算し、双方のチェックサムが一致した場合に正常コピー終了とすることを特徴とする付記１０記載の保守管理方法。
【０１１８】
（付記１４）　前記加入者データの展開処理を行う場合、内部バッファにコピーしてあるバッファデータのチェックサムと、前記更新ユニットに展開した加入者データエリアのチェックサムとを計算し、双方のチェックサムが一致した場合に正常展開終了とすることを特徴とする付記１０記載の保守管理方法。
【０１１９】
（付記１５）　保守状態を示す保守フラグを有し、保守操作が行われているときは、テーブルアクセスを禁止することを特徴とする付記１０記載の保守管理方法。
【０１２０】
（付記１６）　前記取り外し対象ユニットに、前記指定ユニットと前記関連ユニットがある場合、前記指定スロットに前記加入者データを展開処理した後に、前記関連ユニットのスロット情報の削除を行うことを特徴とする付記１０記載の保守管理方法。
【０１２１】
（付記１７）　アクセス網上で加入者線を多重化して伝送制御を行うＡＮシステムにおいて、
スロットに実装されたユニットのＥ１、Ｅ０に関するバス運用状態情報及び加入者データを含むスロット情報を登録するスロット情報テーブルと、バスにマッピングされたアクセスＩＤを登録するバスマッピング情報テーブルとを管理するテーブル管理部と、保守用コマンドを受信した場合に、前記バスマッピング情報テーブルにもとづいて、前記コマンドで指定された指定ユニットと連続してバスが割り当てられている関連ユニットを検索し、取り外し対象ユニットの呼をブロックして保守モードへ移行する保守モード移行処理部と、前記取り外し対象ユニットの加入者データをバックアップするバックアップ処理部と、コマンドにもとづき、前記取り外し対象ユニットのスロット情報の削除及びあらたに実装される更新ユニットのスロット情報の更新を行ない、前記更新ユニットが実装された後に、バックアップしておいた前記加入者データを前記更新ユニットに展開して設定するデータ展開処理部と、から構成される制御ユニットと、
自己のスロット情報を保持するスロット情報保持部と、加入者線の接続制御を行う接続制御部と、から構成される加入者ユニットと、
を有することを特徴とするＡＮシステム。
【０１２２】
【発明の効果】
以上説明したように、本発明の伝送システムは、保守用のコマンドを受信した場合に、スロット情報テーブルとバスマッピング情報テーブルにもとづいて、コマンドで指定された指定ユニットと連続してバスが割り当てられている関連ユニットを検索し、取り外し対象ユニットの呼をブロックして、取り外し対象ユニットの加入者データをバックアップし、バックアップしておいた加入者データを展開処理して更新ユニットに設定する構成とした。これにより、加入者ユニットの交換時に、設定すべき情報をバックアップ及び展開することにしたので、オペレータによる情報の再設定をすることなく、システム・アップグレードを効率よく行うことができ、保守効率及び利便性の向上を図ることが可能になる。
【図面の簡単な説明】
【図１】本発明の伝送システムの原理図である。
【図２】ＡＮシステムのユニット実装例を示す図である。
【図３】ＡＮシステムの内部バス状態を示す図である。
【図４】内部バスの構成を示す図である。
【図５】トリビュタリバスに対するバスマッピングの一例を示す図である。
【図６】スロット情報テーブルの構成を示す図である。
【図７】保守フラグのビット配列を示す図である。
【図８】バスマッピング情報テーブルの構成を示す図である。
【図９】動作シーケンスを示す図である。
【図１０】動作シーケンスを示す図である。
【図１１】動作シーケンスを示す図である。
【図１２】動作シーケンスを示す図である。
【図１３】動作シーケンスを示す図である。
【図１４】動作シーケンスを示す図である。
【図１５】動作シーケンスを示す図である。
【図１６】動作シーケンスを示す図である。
【図１７】動作シーケンスを示す図である。
【図１８】動作シーケンスを示す図である。
【図１９】データ遷移を示す図である。
【図２０】データ遷移を示す図である。
【図２１】データ遷移を示す図である。
【図２２】データ遷移を示す図である。
【図２３】データ遷移を示す図である。
【図２４】データ遷移を示す図である。
【図２５】データ遷移を示す図である。
【図２６】データ遷移を示す図である。
【図２７】データ遷移を示す図である。
【図２８】データ遷移を示す図である。
【図２９】状態表示遷移を示す図である。
【図３０】アップグレード処理の概要を示すフローチャートである。
【図３１】保守モード移行処理の概要を示すフローチャートである。
【図３２】バスマッピング情報テーブルの検索処理の概要を示すフローチャートである。
【図３３】検出Ｅ１−ＡＩＤのブロック処理の概要を示すフローチャートである。
【図３４】データバックアップ処理の概要を示すフローチャートである。
【図３５】データバックアップ処理の概要を示すフローチャートである。
【図３６】データ展開処理の概要を示すフローチャートである。
【図３７】データ展開処理の概要を示すフローチャートである。
【図３８】保守モード解除処理を示すフローチャートである。
【図３９】アップグレード処理失敗時のデータ復旧処理の概要を示すフローチャートである。
【図４０】データ再展開処理の概要を示すフローチャートである。
【図４１】ＡＮシステムのＵＤＬＣモードの運用形態を示す図である。
【図４２】ＡＮシステムのＩＤＬＣモードの運用形態を示す図である。
【符号の説明】
１　伝送システム
６　保守端末
１０　制御ユニット
１１　テーブル管理部
１２　保守モード移行処理部
１３　バックアップ処理部
１４　データ展開処理部
１５　状態表示制御部
２０　加入者ユニット
２１　スロット情報保持部
２２　接続制御部
２３　保守遷移表示部
Ｔ１　スロット情報テーブル
Ｔ２　バスマッピング情報テーブル
【図１】
2004080471.tif 000003
【図２】
2004080471.tif 000004
【図３】
2004080471.tif 000005
【図４】
2004080471.tif 000006
【図５】
2004080471.tif 000007
【図６】
2004080471.tif 000008
【図７】
2004080471.tif 000009
【図８】
2004080471.tif 000010
【図９】
2004080471.tif 000011
【図１０】
2004080471.tif 000012
【図１１】
2004080471.tif 000013
【図１２】
2004080471.tif 000014
【図１３】
2004080471.tif 000015
【図１４】
2004080471.tif 000016
【図１５】
2004080471.tif 000017
【図１６】
2004080471.tif 000018
【図１７】
2004080471.tif 000019
【図１８】
2004080471.tif 000020
【図１９】
2004080471.tif 000021
【図２０】
2004080471.tif 000022
【図２１】
2004080471.tif 000023
【図２２】
2004080471.tif 000024
【図２３】
2004080471.tif 000025
【図２４】
2004080471.tif 000026
【図２５】
2004080471.tif 000027
【図２６】
2004080471.tif 000028
【図２７】
2004080471.tif 000029
【図２８】
2004080471.tif 000030
【図２９】
2004080471.tif 000031
【図３０】
2004080471.tif 000032
【図３１】
2004080471.tif 000033
【図３２】
2004080471.tif 000034
【図３３】
2004080471.tif 000035
【図３４】
2004080471.tif 000036
【図３５】
2004080471.tif 000037
【図３６】
2004080471.tif 000038
【図３７】
2004080471.tif 000039
【図３８】
2004080471.tif 000040
【図３９】
2004080471.tif 000041
【図４０】
2004080471.tif 000042
【図４１】
2004080471.tif 000043
【図４２】
2004080471.tif 000044